(57)【要約】【課題】複数本の板材により枠組みを形成してなるプランターにおいて、製造容易で、隣り合う板材の間隙を大きく開けることなく、各板材の配置関係を自在に屈曲可能にする。【解決手段】複数本の板材２０が互いの側部を隣り合わせて連結され、枠組み１１を形成してなるプランター１０であって、プランター１０の枠組み１１の内側に向けて配置されることになる各板材の内面に可撓性帯状シート３０が接合されるもの。【選択図】図４
0003228588.tif 000002
【実用新案登録請求の範囲】
【請求項１】
複数本の板材が互いの側部を隣り合わせて連結され、枠組みを形成してなるプランターであって、
プランターの枠組みの内側に向けて配置されることになる各板材の内面に可撓性帯状シートが接合されてなるプランター。
【請求項２】
前記板材のうちの少なくとも１つの板材が、プランターの設置面に対する杭打ち部を備える請求項１に記載のプランター。
【請求項３】
前記板材のうちの少なくとも１つの板材が、プランターの設置面に対する位置決め部を備える請求項１又は２に記載のプランター。
【請求項４】
前記板材の内面に帯状シートが接着剤を用いて貼着される請求項１乃至３のいずれかに記載のプランター。
【請求項５】
前記板材の内面の概ね全高さに亘って帯状シートが接合される請求項１乃至４のいずれかに記載のプランター。
【請求項６】
前記板材が竹をその周方向で分割した竹材からなる請求項１乃至５のいずれかに記載のプランター。
【請求項７】
前記竹材の外皮の側がプランターの枠組みの外側に向けて配置され、該竹材の内皮の側が該プランターの枠組みの内側に向けて配置される請求項６に記載のプランター。
【請求項８】
前記帯状シートが布、紙又は生分解プラスチックからなる請求項１乃至７のいずれかに記載のプランター。
【請求項９】
前記プランターの枠組みの外側に向けて配置された各板材の外面同士を結んだ輪郭線が、その外側に対して凸状をなすとき、それらの各板材の外面の側に配置されて、それらの各板材を外側から締め込む紐を有してなる請求項１乃至８のいずれかに記載のプランター。
【考案の詳細な説明】
【技術分野】
【０００１】
本考案は、花壇等に用いて好適なプランターに関する。
【背景技術】
【０００２】
従来のプランターとして、特許文献１、２に記載のものがある。
【０００３】
特許文献１に記載のプランターは、プランターの枠組みの内側に向けて配置されることになる複数本の隣り合う丸削り間伐材がそれらの内面に鉄等からなる帯状硬質部材を釘打ちしてなるものである。このプランターは、多数の間伐材の配置関係を硬質部材の撓みによって適宜設定替えすることで、直線状だけでなく、曲線状、直角状等の枠組みとすることができるものとされている。
【０００４】
特許文献２に記載のプランターは、複数本の隣り合うコンクリート製擬木ブロックを１ｃｍ程度の間隔を介して平行に並べ、隣り合う擬木がそれらの外周母線部分を、該擬木の内部に埋め込んだシート連結部材により連結して枠組みを形成してなるものである。
【０００５】
このプランターは、多数の擬木の配置関係をシート連結部材の撓みによって適宜設定替えすることで、直線状だけでなく、曲線状等の枠組みとすることができるものとされている。
【先行技術文献】
【特許文献】
【０００６】
【特許文献１】特開２００１−９５３７３号公報
【特許文献２】特開２００１−３１４１２４号公報
【考案の概要】
【考案が解決しようとする課題】
【０００７】
特許文献１、２に記載のプランターは、間伐材に硬質部材が杭打ちされたり、擬木にシート連結部材が埋め込まれたりするものであり、製造困難である。
【０００８】
また、特許文献１に記載のプランターは、丸削り間伐材の内面に硬質部材が連結されたものであるから、各間伐材の配置関係を直線状から例えば該プランターの内側に向けて凹状をなす等に屈曲すると、隣り合う間伐材の間隙が拡大し、該プランターの内側に収容した土及び水の漏出を招きやすい。
【０００９】
また、特許文献２に記載のプランターは、隣り合う擬木の内部に埋め込んだシート連結部材により、それらの擬木の外周母線部分をシート連結部材により連結するものであるから、各擬木の配置関係をより小曲率半径の曲線状等に屈曲可能とするためには、隣り合う擬木の外周母線間により大きな間隙を設けておく必要があり、外観を損なう。
【００１０】
本考案の課題は、複数本の板材により枠組みを形成してなるプランターにおいて、製造容易で、隣り合う板材の間隙を大きく開けることなく、各板材の配置関係を自在に屈曲可能にすることにある。
【課題を解決するための手段】
【００１１】
請求項１に係る考案は、複数本の板材が互いの側部を隣り合わせて連結され、枠組みを形成してなるプランターであって、プランターの枠組みの内側に向けて配置されることになる各板材の内面に可撓性帯状シートが接合されてなるものである。
【００１２】
請求項２に係る考案は、請求項１に係る考案において更に、前記板材のうちの少なくとも１つの板材が、プランターの設置面に対する杭打ち部を備えるものである。
【００１３】
請求項３に係る考案は、請求項１又は２に係る考案において更に、前記板材のうちの少なくとも１つの板材が、プランターの設置面に対する位置決め部を備えるものである。
【００１４】
請求項４に係る考案は、請求項１乃至３のいずれかに係る考案において更に、前記板材の内面に帯状シートが接着剤を用いて貼着されるものである。
【００１５】
請求項５に係る考案は、請求項１乃至４のいずれかに係る考案において更に、前記板材の内面の概ね全高さに亘って帯状シートが接合されるものである。
【００１６】
請求項６に係る考案は、請求項１乃至５のいずれかに係る考案において更に、前記板材が竹をその周方向で分割した竹材からなるものである。
【００１７】
請求項７に係る考案は、請求項６に考案において更に、前記竹材の外皮の側がプランターの枠組みの外側に向けて配置され、該竹材の内皮の側が該プランターの枠組みの内側に向けて配置されるものである。
【００１８】
請求項８に係る考案は、請求項１乃至７のいずれかに係る考案において更に、前記帯状シートが布、紙又は生分解プラスチックからなるものである。
【００１９】
請求項９に係る考案は、請求項１乃至８のいずれかに係る考案において更に、前記プランターの枠組みの外側に向けて配置された各板材の外面同士を結んだ輪郭線が、その外側に対して凸状をなすとき、それらの各板材の外面の側に配置されて、それらの各板材を外側から締め込む紐を有してなるものである。
【考案の効果】
【００２０】
（請求項１）
（ａ）隣り合う各板材の内面に帯状シートを接合することで、容易に製造できる。小規模の生産設備で安価に製造できる。
（ｂ）プランターの枠組みの内側に向けて配置されることになる各板材の内面に可撓性帯状シートが接合されることで、各板材の配置関係を直線状から例えば該プランターの内側に向けて凹状をなす等に屈曲しようとしても、各板材の隣り合う側部同士が当たり合うことがなく、自由に屈曲できる。
【００２１】
しかも、この各板材の屈曲時に、隣り合う板材の間隔は拡大せず、該プランターの内側に収容した土及び水の漏出を招くことがない。
【００２２】
このとき、各板材に接合されている帯状シートがプランターの底部から上部に亘る高さ方向の広い範囲に連続して設けられていれば、上述の土及び水の漏出をより確実に防止できる。
【００２３】
（請求項２）
（ｃ）少なくとも、１つの板材が、プランターの設置面（地面等）に対する杭打ち部を備える場合には、該プランターの当該設置面に対する据え付けの安定確実を図ることができる。
【００２４】
（請求項３）
（ｄ）少なくとも、１つの板材が、プランターの設置面（地面等）に対する位置決め部を備える場合には、該プランターの当該設置面に対する位置決めの容易を図ることができる。
【００２５】
（請求項４）
（ｅ）板材の内面に帯状シートが接着剤を用いて貼着される。前述（ａ）の製造の容易性を一層向上できる。板材に帯状シートを釘打ちするものに比して、接着剤は刷毛塗りする等により作業性を向上できるし、板材と帯状シートとを全面的に広く貼着させることができ、竹材等の板材に割損を生じさせることがない。
【００２６】
（請求項５）
（ｆ）板材の内面の概ね全高さに亘って帯状シートが接合される。前述（ｂ）の土及び水の漏出防止性を一層向上できる。
【００２７】
（請求項６）
（ｇ）板材が竹材からなる場合には、プランターの加工性、デザイン性、軽量性、廃棄容易性を向上できる。竹は、繊維が多く、多孔構造を有することで、保温性があり、プランターとして適する。板材の調達コストを低減できるし、放置竹林の環境問題の解決にも寄与できる。
【００２８】
（請求項７）
（ｈ）竹材の硬質で滑らかな外皮の側がプランターの外側に向けて配置されることで、該プランターの耐候性、耐蝕性を向上できる。また、竹材の外界に対して丸みを帯びた外皮は、プランターの全周の丸み状の形態に調和してプランターの美観を向上する。また、竹材の外皮が有する不規則な節の存在もプランターの美観を向上する。
【００２９】
竹材の外皮に対して粗目の内皮の側に帯状シートが接着剤を用いて貼着されるときには、その貼着の確実容易を図り、貼着性を向上できる。
【００３０】
（請求項８）
（ｉ）帯状シートが布、紙又は生分解プラスチックからなるものとすることにより、プランターの環境対応性（廃棄性等）を向上できる。
【００３１】
（請求項９）
（ｊ）プランターの外側に向けて配置された各板材の外面の側に紐を設け、それらの各板材を外側から締め込むことで、土を収容した該プランターの保形安定性を向上できる。
【図面の簡単な説明】
【００３２】
【図１】図１は、本考案に係るプランターの一例を示し、（Ａ）は表面図、（Ｂ）は裏面図、（Ｃ）は（Ａ）のＣ−Ｃ線に沿う断面図である。
【図２】図２は、板材の隣接配置状態を示し、（Ａ）は表面図、（Ｂ）は上端面図である。
【図３】図３は、板材の隣接配置状態の変形例を示し、（Ａ）は表面図、（Ｂ）は上端面図である。
【図４】図４は、本考案に係るプランターの組立状態の一例を示す模式図である。
【図５】図５は、本考案に係る他のプランターを示し、（Ａ）は表面図、（Ｂ）は（Ａ）のＢ−Ｂ線に沿う断面図である。
【図６】図６は、本考案に係る更に他のプランターを示し、（Ａ）は表面図、（Ｂ）は（Ａ）のＢ−Ｂ線に沿う断面図である。
【図７】図７は、本考案に係るプランターの組立状態の他の例を示す模式図である。
【図８】図８は、本考案に係るプランターの組立状態の更に他の例を示す模式図である。
【図９】図９は、本考案に係るプランターの組立状態の更に他の例を示す模式図である。
【図１０】図１０は、本考案に係るプランターの組立状態の更に他の例を示す模式図である。
【考案を実施するための形態】
【００３３】
図１及び図２に示したプランター１０は、組立て前の状態であり、複数本（例えば３６本）の短冊状の板材２０が互いの側部ａ、ｂを隣り合わせて連結され、例えば、図４に示す如くに無端周回状をなす環状の枠組み１１を形成可能にする。
【００３４】
プランター１０は、枠組み１１の内側に向けて配置されることになる各板材２０の内面２０ｉに可撓性帯状シート３０が接合されて構成される。なお、帯状シート３０のシート厚は、板材２０の板厚に対して、図面上では比較的大きく図示されているが、実際には極小である。
【００３５】
プランター１０は、枠組み１１がその外側に向けて配置された各板材２０の外面２０ｆ同士（外面２０ｆが凹凸面をなすときには該外面２０ｆの最も外側に位置する部位同士）を結んだ輪郭線２１を、その外側に対して凸状をなすものとするとき、図４に示す如く、それらの各板材２０の外面２０ｆの側の高さ方向に沿う１以上の巻付け箇所に配置されてそれらの各板材２０を枠組み１１の外側から内側に締め込む紐４０を有するものとすることができる。紐４０としては、ゴム紐、プラスチック紐、金属線等を採用でき、サッシ用ゴムチューブが好適である。
【００３６】
なお、プランター１０において、紐４０は必須でない。
【００３７】
プランター１０は、枠組み１１を地面等（住居内の床面でも可）の設置面の上に設置し、該枠組み１１の内部に土、水等を収容してその中に草花等を植栽可能にする。なお、枠組み１１の内部に収容される土等の図示は省略した。
【００３８】
このとき、プランター１０は、枠組み１１を構成する一部若しくは全部の板材２０の下端面を上述の設置面上に直に載置してもよいし、当該板材２０の下端部が上述の設置面内に埋め込まれてもよい。
【００３９】
プランター１０は、枠組み１１を構成する板材２０の内面に、接着剤を介して、帯状シート３０が貼着される。接着剤は、如何なる糊でもよいが、例えば、速乾性ボンドを採用できる。このとき、帯状シート３０は、プランター１０の底部（設置面）から上部に向かう枠組み１１の高さ方向の一部（例えば、枠組み１１内に収容される土の収容高さに対応する範囲）、若しくは、枠組み１１の全高さ（図１のＨ）に亘る範囲に設けられる。プランター１０は、隣り合う板材２０の内面に帯状シート３０を貼着して枠組み１１を形成するに際し、隣り合う板材２０の側部ａ、ｂを隙間なく接するものとし、或いは、図２に示した一定の間隙ｇを介するものとすることができる。
【００４０】
すなわち、プランター１０は、ｇ≧０に設定することで、各板材２０の配置関係を直線状からプランター１０の外側に向けて凸状をなす方向に自由に屈曲可能とするものになる。
【００４１】
また、プランター１０は、ｇ＞０に設定することで、各板材２０の配置関係を直線状からプランター１０の外側に向けて凹状をなす方向にも屈曲可能になる。
【００４２】
ただし、プランター１０は、隣り合う板材２０の内面に帯状シート３０を貼着して枠組み１１を形成するに際し、図３に示す如く、隣り合う板材２０の間で、一方の板材２０の側部ａの上に他方の板材２０の側部ｂを重ねるものとすることもできる。この場合、隣り合う板材２０は、隙間なく連結されて枠組み１１を形成するものになる。
【００４３】
なお、板材２０は、概ね平板状をなし、高さ方向に直交する横断面形状を矩形状、若しくは円弧状とすることが好ましい。
【００４４】
また、プランター１０の枠組み１１を構成する各板材２０は、それらの下端面を概ね同一レベルに設定され、それらの高さＨを、互いに同一高さに揃えてもよく（図１）、或いは、互いに異なる高さに不揃いとしてもよい（図５のＨ１、Ｈ２等）。
【００４５】
プランター１０は、枠組み１１の周方向に沿う長さ方向に沿って例えば３６枚の短冊状の板材２０を貼り合わせ、各板材２０の高さｈを例えば１５０ｍｍ、幅Ｗを例えば４５ｍｍ、板厚ｔを例えば８ｍｍとする。また、プランター１０は、隣り合う板材２０の側部ａ、ｂの間隙ｇを例えば０乃至５ｍｍの範囲内から選んだ例えば５ｍｍとし、その全長Ｌ（枠組み１１の周長）を例えば１８００ｍｍとすることができる。
【００４６】
本実施形態のプランター１０は、枠組み１１を構成する板材２０が、建仁寺竹、孟宗竹、マダケ等の竹をその周方向で分割した竹材からなるものとすることができる。ただし、板材２０は、金属、木、プラスチック等の如何なる材料からなるものとすることもできる。
【００４７】
そして、本実施形態のプランター１０は、板材２０の外面２０ｆを構成する竹材の外皮ｆの側が枠組み１１の外側に向けて配置され、該板材２０の内面２０ｉを構成する竹材の内皮ｉの側が枠組み１１の内側に向けて配置される。
【００４８】
また、本実施形態のプランター１０は、帯状シート３０が布、紙又は生分解プラスチックからなるものとすることができる。帯状シート３０を構成する紙として、好ましくは、耐水性に優れたマットコート等を用いることができる。ただし、帯状シート３０としては、金網、プラスチック網等のメッシュ状シートを用いることもでき、これによってプランター１０における板材２０の連結強度を向上することができる。なお、帯状シート３０は、如何なる材料からなる場合にも、耐水性、耐候性に優れることが好ましい。
【００４９】
図５、図６は、上述したプランター１０の変形例に係るプランター１０Ａ、１０Ｂを示すものである。
【００５０】
図５に示したプランター１０Ａは、板材２０のうちの少なくとも１つの板材２０Ａ（図５では２本の板材２０Ａ）が、プランター１０の地面等の設置面に対する尖り状の杭打ち部Ｋを備える。板材２０Ａは、杭打ち部Ｋを備えない他の標準形状の板材２０の下端部より下方に突出する尖り状の下端部を備え、この尖り状の下端部を杭打ち部Ｋとする。
【００５１】
プランター１０Ａは、図７に示す如く、複数本の板材２０及び板材２０Ａが形成する枠組み１１を設置面の上に設置するに際し、板材２０Ａの杭打ち部Ｋを当該設置面に打ち込むことで、該プランター１０Ａの当該設置面に対する据え付けの安定確実を図ることができる。
【００５２】
図６に示したプランター１０Ｂは、板材２０のうちの少なくとも１つの板材２０Ｂが、プランター１０の地面等の設置面に対する位置決め部Ｍを備える。板材２０Ｂは、位置決め部Ｍを備えない他の標準形状の板材２０の下端部より、下方に突出する位置決め部Ｍを備える。位置決め部Ｍは、例えば、板材２０の下端面からその板厚内に穿設した穴に金属製、竹製、又は木製等の棒を串状に挿着する等によって形成できる。
【００５３】
プランター１０Ｂは、複数本の板材２０及び板材２０Ｂが形成する枠組み１１を設置面の上に設置するに際し、板材２０Ｂの位置決め部Ｍを当該設置面に差し込むことで、該プランター１０Ｂの当該設置面に対する据付け位置の安定確実を図ることができる。
【００５４】
本実施形態に係るプランター１０（１０Ａ、１０Ｂ）によれば、以下の作用効果を奏する。
【００５５】
（ａ）隣り合う各板材２０の内面に帯状シート３０を接合することで、容易に製造できる。小規模の生産設備で安価に製造できる。
【００５６】
（ｂ）プランター１０（１０Ａ、１０Ｂ）の枠組み１１の内側に向けて配置されることになる各板材２０の内面に可撓性帯状シート３０が接合されることで、各板材２０の配置関係を直線状から例えば該プランター１０（１０Ａ、１０Ｂ）の内側に向けて凹状をなす等に屈曲しようとしても、各板材２０の隣り合う側部同士が当たり合うことがなく、自由に屈曲できる。
【００５７】
しかも、この各板材２０の屈曲時に、隣り合う板材２０の間隔は拡大せず、該プランター１０（１０Ａ、１０Ｂ）の内側に収容した土及び水の漏出を招くことがない。
【００５８】
このとき、各板材２０に接合されている帯状シート３０がプランター１０（１０Ａ、１０Ｂ）の底部から上部に亘る高さ方向の広い範囲に連続して設けられていれば、上述の土及び水の漏出をより確実に防止できる。
【００５９】
（ｃ）少なくとも、１つの板材２０Ａが、プランター１０Ａの設置面（地面等）に対する杭打ち部Ｋを備える場合には、該プランター１０Ａの当該設置面に対する据え付けの安定確実を図ることができる。
【００６０】
（ｄ）少なくとも、１つの板材２０Ｂが、プランター１０Ｂの設置面（地面等）に対する位置決め部Ｍを備える場合には、該プランター１０Ｂの当該設置面に対する位置決めの容易を図ることができる。
【００６１】
（ｅ）板材２０の内面に帯状シート３０が接着剤を用いて貼着される。前述（ａ）の製造の容易性を一層向上できる。板材２０に帯状シート３０を釘打ちするものに比して、接着剤は刷毛塗りする等により作業性を向上できるし、板材２０と帯状シート３０とを全面的に広く貼着させることができ、竹材等の板材２０に割損を生じさせることがない。
【００６２】
（ｆ）板材２０の内面の概ね全高さに亘って帯状シート３０が接合される。前述（ｂ）の土及び水の漏出防止性を一層向上できる。
【００６３】
（ｇ）板材２０が竹材からなる場合には、プランター１０（１０Ａ、１０Ｂ）の加工性、デザイン性、軽量性、廃棄容易性を向上できる。竹は、繊維が多く、多孔構造を有することで、保温性があり、プランター１０（１０Ａ、１０Ｂ）として適する。板材２０の調達コストを低減できるし、放置竹林の環境問題の解決にも寄与できる。
【００６４】
（ｈ）竹材の硬質で滑らかな外皮ｆの側がプランター１０（１０Ａ、１０Ｂ）の外側に向けて配置されることで、該プランター１０（１０Ａ、１０Ｂ）の耐候性、耐蝕性を向上できる。また、竹材の外界に対して丸みを帯びた外皮ｆは、プランター１０（１０Ａ、１０Ｂ）の全周の丸み状の形態に調和してプランター１０（１０Ａ、１０Ｂ）の美観を向上する。また、竹材の外皮ｆが有する不規則な節の存在もプランター１０（１０Ａ、１０Ｂ）の美観を向上する。
【００６５】
竹材の外皮ｆに対して粗目の内皮ｉの側に帯状シート３０が接着剤を用いて貼着されるときには、その貼着の確実容易を図り、貼着性を向上できる。
【００６６】
（ｉ）帯状シート３０が布、紙、又は生分解プラスチックからなるものとすることにより、プランター１０（１０Ａ、１０Ｂ）の環境対応性（廃棄性等）を向上できる。
【００６７】
（ｊ）プランター１０（１０Ａ、１０Ｂ）の外側に向けて配置された各板材２０の外面２０ｆの側に紐４０を設け、それらの各板材２０を外側から締め込むことで、土を収容した該プランター１０（１０Ａ、１０Ｂ）の保形安定性を向上できる。
【００６８】
図８は、プランター１０Ａの１つの使用形態であり、各板材２０によって形成される無端周回状の枠組み１１が、（ｉ）その輪郭線２１の一部において隣り合う板材２０の側部ａ、ｂがｇ≧０をなす部分で、該プランター１０Ａの外側に対して凸状をなす屈曲部ｐを形成するとともに、（ｉｉ）その輪郭線２１の他の一部において隣り合う板材２０の側部ａ、ｂがｇ＞０をなす部分で、該プランター１０Ａの外側に対して凹状をなす屈曲部ｑを形成するものとした。そして、プランター１０Ａは、各屈曲部ｐ、ｑのそれぞれの側に１個以上の板材２０Ａを配置し、該板材２０Ａの杭打ち部Ｋを設置面に打ち込んでその屈曲部ｐ、ｋを備えた枠組み１１の輪郭線２１を保形し、該枠組み１１内に土を装填してその輪郭線２１を維持する。
【００６９】
図９は、プランター１０Ａの他の１つの使用形態であり、枠組み１１が無端周回状をなすことなく、両端ｅ１、ｅ２を備えることとした。プランター１０Ａは、設置面に設けられる壁体Ｒの内側にて各板材２０によって形成される枠組み１１が、例えばその外側に対して凸状をなす円弧状の輪郭線２１を形成するものである。すなわち、枠組み１１の両端ｅ１、ｅ２のそれぞれに配置した板材２０Ａを壁体Ｒの壁面に当てるとともに、その杭打ち部Ｋを設置面に打ち込んでその輪郭線２１を保形し、該枠組み１１内に土を装填してその輪郭線２１を維持する。
【００７０】
図１０は、プランター１０（１０Ａ、１０Ｂでも可）の更に他の１つの使用形態であり、枠組み１１が無端周回状をなすことなく、両端ｅ１、ｅ２を備えることとした。
【００７１】
プランター１０は、設置面に設けられる壁体Ｒの内側にて、各板材２０によって形成される枠組み１１が、例えばその外側に対して凸状をなす円弧状の輪郭線２１を形成するものである。すなわち、枠組み１１の両端ｅ１、ｅ２のそれぞれに配置した板材２０（板材２０Ａを用いても可）を壁体Ｒの壁面に当てるとともに、その輪郭線２１を形成している各板材２０の外面２０ｆの側に配置される紐４０により、各板材２０をプランター１０の外側から内側に締め込んでその輪郭線２１を保形し、該枠組み１１内に土を装填してその輪郭線２１を維持する。紐４０の両端部は、壁体Ｒに設けた取付部４１、４２に固定される。
【００７２】
以上、本考案の実施例を図面により詳述したが、本考案の具体的な構成はこの実施例に限られるものではなく、本考案の要旨を逸脱しない範囲の設計の変更等があっても本考案に含まれる。例えば、本考案のプランターは、各板材２０に塗装処理等を施すものであってもよい。
【００７３】
また、本考案のプランターは、各板材２０に帯状シート３０をホチキス止め、釘打ちする等にて接合することもできる。
【００７４】
また、本考案のプランターは、設置面を平坦な面とすることなく、凹凸面とするものでもよいし、杭打ち等が適さない硬質面とするものにもよく適合できる。
【００７５】
また、本考案のプランターは、各板材２０が形成した枠組み１１の内部に土、水等を直に収容することなく、植栽される鉢等を収容して用いることもできる。
【産業上の利用可能性】
【００７６】
本考案によれば、複数本の板材により枠組みを形成してなるプランターにおいて、製造容易で、隣り合う板材の間隙を大きく開けることなく、各板材の配置関係を自在に屈曲できる。
【符号の説明】
【００７７】
１０、１０Ａ、１０Ｂ・・・プランター
１１・・・枠組み
２０、２０Ａ、２０Ｂ・・・板材
２１・・・輪郭線
３０・・・帯状シート
４０・・・紐
【図１】
0003228588.tif 000003
【図２】
0003228588.tif 000004
【図３】
0003228588.tif 000005
【図４】
0003228588.tif 000006
【図５】
0003228588.tif 000007
【図６】
0003228588.tif 000008
【図７】
0003228588.tif 000009
【図８】
0003228588.tif 000010
【図９】
0003228588.tif 000011
【図１０】
0003228588.tif 000012
【手続補正書】
【提出日】令和2年8月26日(2020.8.26)
【手続補正１】
【補正対象書類名】実用新案登録請求の範囲
【補正対象項目名】全文
【補正方法】変更
【補正の内容】
【実用新案登録請求の範囲】
【請求項１】
複数本の板材が互いの側部を隣り合わせて連結され、枠組みを形成してなるプランターであって、
プランターの枠組みの内側に向けて配置されることになる各板材の内面に可撓性帯状シートが接合されてなるプランター。
【請求項２】
前記板材のうちの少なくとも１つの板材が、プランターの設置面に対する杭打ち部を備える請求項１に記載のプランター。
【請求項３】
前記板材のうちの少なくとも１つの板材が、プランターの設置面に対する位置決め部を備える請求項１又は２に記載のプランター。
【請求項４】
前記板材の内面に前記可撓性帯状シートが接着剤を用いて貼着される請求項１乃至３のいずれかに記載のプランター。
【請求項５】
前記板材の内面の概ね全高さに亘って前記可撓性帯状シートが接合される請求項１乃至４のいずれかに記載のプランター。
【請求項６】
前記板材が竹をその周方向で分割した竹材からなる請求項１乃至５のいずれかに記載のプランター。
【請求項７】
前記竹材の外皮の側がプランターの枠組みの外側に向けて配置され、該竹材の内皮の側が該プランターの枠組みの内側に向けて配置される請求項６に記載のプランター。
【請求項８】
前記可撓性帯状シートが布、紙又は生分解プラスチックからなる請求項１乃至７のいずれかに記載のプランター。
【請求項９】
前記プランターの枠組みの外側に向けて配置された各板材の外面同士を結んだ輪郭線が、その外側に対して凸状をなすとき、それらの各板材の外面の側に配置されて、それらの各板材を外側から締め込む紐を有してなる請求項１乃至８のいずれかに記載のプランター。
【手続補正２】
【補正対象書類名】明細書
【補正対象項目名】００１４
【補正方法】変更
【補正の内容】
【００１４】
請求項４に係る考案は、請求項１乃至３のいずれかに係る考案において更に、前記板材の内面に前記可撓性帯状シートが接着剤を用いて貼着されるものである。
【手続補正３】
【補正対象書類名】明細書
【補正対象項目名】００１５
【補正方法】変更
【補正の内容】
【００１５】
請求項５に係る考案は、請求項１乃至４のいずれかに係る考案において更に、前記板材の内面の概ね全高さに亘って前記可撓性帯状シートが接合されるものである。
【手続補正４】
【補正対象書類名】明細書
【補正対象項目名】００１８
【補正方法】変更
【補正の内容】
【００１８】
請求項８に係る考案は、請求項１乃至７のいずれかに係る考案において更に、前記可撓性帯状シートが布、紙又は生分解プラスチックからなるものである。
【手続補正５】
【補正対象書類名】明細書
【補正対象項目名】００２０
【補正方法】変更
【補正の内容】
【００２０】
（請求項１）
（ａ）隣り合う各板材の内面に可撓性帯状シートを接合することで、容易に製造できる。小規模の生産設備で安価に製造できる。
（ｂ）プランターの枠組みの内側に向けて配置されることになる各板材の内面に可撓性帯状シートが接合されることで、各板材の配置関係を直線状から例えば該プランターの内側に向けて凹状をなす等に屈曲しようとしても、各板材の隣り合う側部同士が当たり合うことがなく、自由に屈曲できる。
【手続補正６】
【補正対象書類名】明細書
【補正対象項目名】００２２
【補正方法】変更
【補正の内容】
【００２２】
このとき、各板材に接合されている可撓性帯状シートがプランターの底部から上部に亘る高さ方向の広い範囲に連続して設けられていれば、上述の土及び水の漏出をより確実に防止できる。
【手続補正７】
【補正対象書類名】明細書
【補正対象項目名】００２５
【補正方法】変更
【補正の内容】
【００２５】
（請求項４）
（ｅ）板材の内面に可撓性帯状シートが接着剤を用いて貼着される。前述（ａ）の製造の容易性を一層向上できる。板材に可撓性帯状シートを釘打ちするものに比して、接着剤は刷毛塗りする等により作業性を向上できるし、板材と可撓性帯状シートとを全面的に広く貼着させることができ、竹材等の板材に割損を生じさせることがない。
【手続補正８】
【補正対象書類名】明細書
【補正対象項目名】００２６
【補正方法】変更
【補正の内容】
【００２６】
（請求項５）
（ｆ）板材の内面の概ね全高さに亘って可撓性帯状シートが接合される。前述（ｂ）の土及び水の漏出防止性を一層向上できる。
【手続補正９】
【補正対象書類名】明細書
【補正対象項目名】００３０
【補正方法】変更
【補正の内容】
【００３０】
（請求項８）
（ｉ）可撓性帯状シートが布、紙又は生分解プラスチックからなるものとすることにより、プランターの環境対応性（廃棄性等）を向上できる。